(57)【要約】【課題】  本発明は、簡単な操作で、非同期コミュニケーションによる情報入力システムを提供する。【解決手段】  本発明の情報入力システムは、携帯情報端末と位置検出手段とアプリケーション端末を含んでシステム構成されている。携帯情報端末は、電子掲示板を表示可能であって当該電子掲示板に入力可能な端末である。また、位置検出手段は、携帯情報端末と、非同期コミュニケーションの対象となる対象物とから送信される識別情報に基づいて携帯情報端末及び対象物の位置を検出する。更に、アプリケーション端末は、位置検出器により検出した携帯情報端末及び対象物の位置を示す位置情報に基づいて携帯情報端末に対して近傍の対象物を検索し、予め登録された対象物に対応し、かつ電子掲示板を表示するための電子掲示板データの中から近傍の対象物の電子掲示板データを読み出して携帯情報端末に送信し、ユーザによって入力された電子掲示板データを保存する。【選択図】        図１
2006072589.tif 000002
【特許請求の範囲】
【請求項１】
電子掲示板を表示可能であって当該電子掲示板に入力可能な携帯情報端末と、
該携帯情報端末と、非同期コミュニケーションの対象となる対象物とから送信される識別情報に基づいて前記携帯情報端末及び前記対象物の位置を検出する位置検出手段と、
該位置検出器により検出した前記携帯情報端末及び前記対象物の位置を示す位置情報に基づいて前記携帯情報端末に対して近傍の前記対象物を検索し、予め登録された前記対象物に対応し、かつ前記電子掲示板を表示するための電子掲示板データの中から近傍の前記対象物の電子掲示板データを読み出して前記携帯情報端末に送信し、ユーザによって入力された前記電子掲示板データを保存するアプリケーション端末と
を含んで構成されていることを特徴とする情報入力システム。
【請求項２】
電子掲示板を表示可能であって当該電子掲示板に入力可能な携帯情報端末と、
該携帯情報端末から送信される識別情報に基づいて前記携帯情報端末の位置を検出する位置検出手段と、
該位置検出器により検出した前記携帯情報端末の位置を示す位置情報に基づいて前記携帯情報端末に対して、予め登録されている前記対象物の中から近傍の前記対象物を検索し、予め登録された前記対象物に対応し、かつ前記電子掲示板を表示するための電子掲示板データの中から近傍の前記対象物の電子掲示板データを読み出して前記携帯情報端末に送信し、ユーザによって入力された前記電子掲示板データを保存するアプリケーション端末と
を含んで構成されていることを特徴とする情報入力システム。
【請求項３】
前記アプリケーション端末は、予め登録されている前記対象物の中から、位置情報に基づいて前記携帯情報端末から近い複数の前記対象物を検索し、検索した前記各対象物の前記電子掲示板データを読み出して前記携帯情報端末に送信し、前記携帯情報端末は複数の対象物の前記電子掲示板データの中から所望の前記対象物の前記電子掲示板を選択可能とする請求項１又は２記載の情報入力システム。
【発明の詳細な説明】
【技術分野】
【０００１】
本発明は情報入力システムに関し、詳細には対象物に対する非同期コミュニケーションによる情報入力の技術に関する。
【背景技術】
【０００２】
コミュニケーションは、大別すると、２つに分けられる。その一つは、同期コミュニケーションであり、これは人と人とが直接会い同時対面的に行われるものである。もう一つは、非同期コミュニケーションであり、これは電話や電子メールなどを利用して時間と空間を越えた双方向のコミュニケーションの場を提供するものである。後者の非同期環境における知識流通メディアとしては、上述したように、電話やファクシミリ、インターネット上の電子掲示板や電子メールなど、既に多くのメディアが利用されてきた。これらは、コミュニケーションの場を仮想環境にとることで、コミュニケーションを同期対面の制約から解放し、場所や時間が異なった状況下における知識流通を可能としてきた。
【０００３】
しかし、実環境には場やモノを共通基盤として、コミュニケーションが取られることが多い。例えば議論の対象となる対象物を目の前にして議論する場合である。一方、仮想環境ではやはり実環境と同等あるいはそれ以上の深い理解を伴ったコミュニケーションをとることは困難である。
【０００４】
そこで、このような問題を解決しようとする提案として特許文献１がある。この特許文献１には見学者が入力した手書きのメッセージを作成するメッセージ作成手段と、当該メッセージと仮想メディアを同時に提示する提示手段を有するキオスク端末装置などのマルチメディア情報端末装置を用いて展示物に対してコメントの付加を支援する非同期メッセージ伝達装置が開示されている。
【特許文献１】特開２００２−２３６４６号公報
【発明の開示】
【発明が解決しようとする課題】
【０００５】
しかしながら、上記特許文献１ではコメントの付加を展示物から離れた設置型のキオスク端末装置で行うことを想定しており、情報の生成場所と流通場所は必ずしも同じではないため、双方が表現している言葉の意味を、真に理解することを阻害している。
【０００６】
本発明はこのような問題点を解決するためのものであり、簡単な操作で、非同期コミュニケーションによる情報入力システムを提供することを目的とする。
【課題を解決するための手段】
【０００７】
前記問題点を解決するために、本発明の情報入力システムは、携帯情報端末と位置検出手段とアプリケーション端末を含んでシステム構成されている。携帯情報端末は、電子掲示板を表示可能であって当該電子掲示板に入力可能な端末である。また、位置検出手段は、携帯情報端末と、非同期コミュニケーションの対象となる対象物とから送信される識別情報に基づいて携帯情報端末及び対象物の位置を検出する。更に、アプリケーション端末は、位置検出器により検出した携帯情報端末及び対象物の位置を示す位置情報に基づいて携帯情報端末に対して近傍の対象物を検索し、予め登録された対象物に対応し、かつ電子掲示板を表示するための電子掲示板データの中から近傍の対象物の電子掲示板データを読み出して携帯情報端末に送信し、ユーザによって入力された電子掲示板データを保存する。よって、ユーザは携帯する携帯情報端末に表示された所望の非同期コミュニケーションの対象物に関する電子掲示板を介して、簡単な操作で非同期コミュニケーションにおける情報入力を行うことができる。
【０００８】
また、対象物が固定なものであれば、位置検出手段は携帯情報端末の位置を検出することにより、ユーザの携帯情報端末に近傍の対象物の電子掲示板を介して簡単な操作で非同期コミュニケーションにおける情報入力を行うことができる。
【０００９】
更に、アプリケーション端末は、予め登録されている対象物の中から、位置情報に基づいて携帯情報端末から近い複数の前記対象物を検索し、検索した各対象物の電子掲示板データを読み出して携帯情報端末に送信し、携帯情報端末では複数の対象物の電子掲示板データの中から所望の対象物の電子掲示板を選択可能とすることにより、自携帯情報端末に近い複数の対象物から所望の対象物を自由に選択でき、使い勝手が良く、操作性の優れた情報入力システムを構築できる。
【発明の効果】
【００１０】
本発明の情報入力システムによれば、実世界の対象物に対応する電子掲示板へ、その対象物の近傍にいるユーザがアクセスできるようにするものである。これにより、対象物に対する他者の意見なども含めて蓄積でき、また実環境のモノや場を共通基盤とした非同期での議論の環境を実現でき、コミュニケーションの促進を図ることができる。また、煩わしい操作なしで電子掲示板を読み書きすることができる。
【発明を実施するための最良の形態】
【００１１】
図１は本発明の一実施の形態例に係る情報入力システムのシステム構成を示す概略図である。同図に示す本実施の形態例の情報入力システム１００は、位置情報サーバ１０、アプリケーションサーバ２０、携帯情報端末（Personal Digital Assistant）(以下ＰＤＡと略す）３０、位置検出器４０を含んで構成されている。また、アプリケーションサーバ２０は、非同期コミュニケーションの対象となる展示物等の複数のオブジェクト５０に対応する電子掲示板データファイルを格納する掲示板データベース２１を有している。なお、位置情報サーバ１０とアプリケーションサーバ２０は有線ＬＡＮなどのネットワーク網で互いに接続されている。また、複数のユーザが携帯する複数のＰＤＡ３０及び複数のオブジェクト５０には、図示していないアンテナと図示していない無線ＩＤタグが装着されている。この無線ＩＤタグは、各ＰＤＡ３０や各オブジェクト６０にユニークに割り振られている。
【００１２】
次に、このようなシステム構成を有する本実施の形態例の情報入力システムのシステム動作について当該動作フローを示す図２に従って説明する。
先ず、位置情報サーバ１０は、位置検出器４０からユーザが使用する各ＰＤＡ３０及び各オブジェクト６０のアンテナから送信されてくる無線ＩＤタグのＩＤ情報を受信すると（ステップＳ１０１）、受信したＩＤ情報に基づいてＰＤＡ３０及びオブジェクト６０の位置情報を作成してアプリケーションサーバ２０に送信する（ステップＳ１０２）。次に、アプリケーションサーバ２０では、位置情報サーバから位置情報を受信した場合（ステップＳ２０１；ＹＥＳ）、複数のＰＤＡ３０の内でアプリケーションサーバ２０に接続要求を出しているＰＤＡがあるかを監視し（ステップＳ１０４）、接続要求を出しているＰＤＡ３０があれば（ステップＳ１０４；ＹＥＳ）取得した位置情報を基に当該ＰＤＡ３０に最も近いオブジェクト５０を推定し、当該オブジェクト５０のＩＤ情報をそのＰＤＡ３０に送信する（ステップＳ１０５）。接続要求を出したＰＤＡ３０は、アプリケーションサーバ２０から受信した自ＰＤＡに最も近いオブジェクトのＩＤ情報を基にアプリケーションサーバ２０に対して最も近いオブジェクトの掲示板データファイルを要求する（ステップＳ１０６，Ｓ１０７）。アプリケーションサーバ２０は、アプリケーションサーバ２０内の掲示板データベース２１の中に予め登録されているオブジェクト毎の電子掲示板データファイルの内から、ＰＤＡ３０から要求されたオブジェクトの電子掲示板データファイルを読み出す。読み出した電子掲示板データファイルは、アプリケーションサーバ２０から対応するＰＤＡ３０へ、無線ＬＡＮなどのネットワーク網を介して送信される（ステップＳ１０８）。そして、電子掲示板データファイルを受信したＰＤＡ３０は、読み書きが可能な電子掲示板を表示し（ステップＳ１０９）、ユーザによる入力を可能とする。ユーザによってＰＤＡ３０上の掲示板に入力が行われる（ステップＳ１１０）。ユーザによって入力された入力データを含む電子掲示板データファイル、あるいは入力された入力データだけ、つまり差分データだけをアプリケーションサーバ２０へ返信し（ステップＳ１１１）、掲示板データベース２１に保存される（ステップＳ１１２）。
なお、ＰＤＡ３０の位置情報から近いオブジェクト６０を推定する際、アプリケーションサーバ２０は、得られたＩＤ情報を基に、複数の候補となるオブジェクトに対するＩＤ情報を送信し、ＰＤＡ３０では受信した複数のオブジェクトのＩＤ情報に基づいて掲示板データベース２１から複数のオブジェクトに対応する掲示板データファイルを読み出して、読み出した複数の掲示板データファイルをＰＤＡ３０に表示させてユーザによって所望なオブジェクトに対応する電子掲示板データファイルを自由に選択させることも可能である。また、オブジェクト５０が稼動するものとして当該オブジェクトの位置も検出しているが、オブジェクト５０が固定のものであればオブジェクトにアンテナや無線ＩＤタグを装着する必要なく、固定の位置情報をアプリケーションサーバ２０内の図示していない記憶手段に登録しておけばよい。
【００１３】
なお、本発明は上記実施の形態例に限定されるものではなく、特許請求の範囲内の記載であれば多種の変形や置換可能であることは言うまでもない。
【図面の簡単な説明】
【００１４】
【図１】本発明の一実施の形態例に係る情報入力システムのシステム構成を示す概略図である。
【図２】本実施の形態例の情報入力システムにおけるシステム動作を示すフローチャートである。
【符号の説明】
【００１５】
１０；位置情報サーバ、２０；アプリケーションサーバ、
２１；掲示板データベース、３０；ＰＤＡ、４０；位置検出器、
５０；オブジェクト、１００；情報入力システム。
【図１】
2006072589.tif 000003
【図２】
2006072589.tif 000004